(57)【要約】【課題】自発光・照度検出機能を有していて暗所で光を受けない状況下でも機能し、自転車利用者及び歩行者等の安全を確保でき、しかも構成簡易で手軽に使用することができる自発光式リフレクターを提供することを課題とする。【解決手段】内面を乱反射面にしたケース部１に、発光手段８と、電池５と、動状態時に通電する接点回路７とを内蔵して成る。その場合、前記ケース部１に留め具部１ａ、３ａを設け、前記留め具部１ａ、３ａ間においてスポークを挟持させることによってスポークに固定可能にすることができる。また、前記接点回路７は、リング状接点１０と、前記リング状接点１０内に遊挿される揺動接点９と、前記揺動接点９が前記リング状接点１０に触れた際に所定時間通電状態を保持する回路とから成る。【選択図】図４
0003128709.tif 000002
【実用新案登録請求の範囲】
【請求項１】
内面を乱反射面にしたケース内に、発光手段と、電池と、動状態時に通電状態を維持する接点回路とを内蔵して成る自発光式リフレクター。
【請求項２】
前記ケースを、それぞれ対応する留め具部を設けたケース部から構成し、前記留め具部間においてスポークを挟持させることによってスポークに固定可能にした請求項１に記載の自発光式リフレクター。
【請求項３】
前記接点回路が、リング状接点と、前記リング状接点内に遊挿される揺動接点と、前記揺動接点が前記リング状接点に触れた際に所定時間通電状態を保持する回路とから成る請求項１に記載の自発光式リフレクター。
【請求項４】
前記ケースが立方体状で、前記発光手段と太陽電池と接点回路をその一端又は両端に配置し、前記ケースの両端部をスポークに固定可能にした請求項１に記載の自発光式リフレクター。
【考案の詳細な説明】
【技術分野】
【０００１】本考案は自発光・照度検出式リフレクター、より詳細には、主として夜間の安全走行のために、自転車のスポークに取り付けて用いる照明手段を内蔵した自発光式リフレクターに関するものである。
【背景技術】
【０００２】自転車の夜間走行時には、暗所を照らし出すために自転車に装備されたライトを用いるが、他者、殊に自動車運転中のドライバーにその存在を知らしめるために、テールカバー、ペダル、あるいは、スポーク等にリフレクターが取り付けられる。特に、ライトが故障したまま無灯下で走行する自転車が少なくないが、そのような場合の安全確保のためにリフレクターは有効である。【０００３】しかし、リフレクターはあくまで、受けた光を反射するものであるので、無灯下の自転車同士や、無灯下の自転車と走行者との間では機能せず、これらの場合における相互確認、並びに、安全確保の手段とはなり得ない。
【考案が解決しようとする課題】
【０００４】上述したように、従来のリフレクターは自発光機能がなく、受けた光を反射するのみであるので、光を受けない状況下では、その機能を発揮することができない。
そこで本考案は、自発光機能を有していて暗所で光を受けない状況下でも機能し、自転車利用者及び歩行者等の安全を確保でき、しかも構成簡易で手軽に使用することができる自発光式リフレクターを提供することを課題とする。
【課題解決するための手段】
【０００５】上記課題を解決するための本考案に係る自発光式リフレクターは、内面を乱反射面にしたケース内に、発光手段と、太陽電池と、動状態時に通電する接点回路とを内蔵して成る。
【０００６】前記ケースは、それぞれ対応する留め具部を設けたケース部から構成し、前記留め具部間においてスポークを挟持させることによってスポークに固定可能にすることができる。また、前記接点回路は、リング状接点と、前記リング状接点内に遊挿される揺動接点と、前記揺動接点が前記リング状接点に触れた際に所定時間通電状態を保持する回路とから成るものとすることができる。
【０００７】更に、前記ケースを立方状とし、前記発光手段と電池と接点回路をその一端あるいは両端に配置し、前記ケースの両端部をスポークに固定可能にすることができる。
【考案を実施するための最良の形態】
【０００８】本考案の実施の形態を添付図面に依拠して説明する。図１乃至図３に示す本考案に係る自発光式リフレクターは、電池５を有するケース内部１と、ケース部１から成るケースを有し、ケース部１と留め具部１ａと３ａの間にスポーク固定手段が形成される。【０００９】図４は接点回路７の構成例を示すもので、それは、基板６から吊下した揺動接点９を、基板６に設置したケースに設けたリング状接点１２内に遊挿して成る。また、この接点回路７は、振動を受けて揺動接点９が揺動してリング状接点１１に触れると、例えば１０秒間通電状態を持続する回路を有する。従って、本リフレクターがスポーク２０に取り付けられて振動を受け続ける間、発光ダイオード８が発光し続けることになる。【００１０】ケース１の内面は、乱反射面（リフレクション面）とする。従って、上記発光ダイオード８の光は、この乱反射面で乱反射され、左面側及び右面側に広範囲に拡がることになる。【００１１】また、ケース部１に、それぞれ対応する留め具部１ａ、３ａを設け、留め具部１ａ、３ａ間において、自転車のスポーク２０を挟持させることにより、本リフレクターをスポーク２０に固定可能にする。【００１２】即ち、スポーク２０は、リムからハブに向かって集束されているので、本リフレクターを２本のスポーク２０間のリム寄りに配し、次第にハブ側に移動させて留め具１ａ、３ａ間に２本のスポーク２０を導入し、各スポーク２０がケース部１と留め具部３の合接部９に当たるまで、ハブに向けてずらし動かす。そして、その位置で、ネジ止めにより、留め具１ａ、３ａのスポーク２０、２０の外側に位置する部分を締め付け固定する（図１参照）。【００１３】図７に示す実施形態は、ケース部１が、内面を乱反射面とした立法体状のもので、その両端部に留め具部１ａと３ａがネジ付けられ、また、その両先端部にスポーク固定手段が配備されたものである。
【考案の効果】
【００１４】本考案は、上述した通りであって、自発光機能を有していて暗所で光を受けない状況下でも機能して広範囲に発光し、自転車利用者及び歩行者等の安全を確保でき、しかも構成簡易で手軽に使用することができる自発光式リフレクターを提供し得る効果がある。
【図面の簡単な説明】
【図１】本考案の実施形態の背面図である。
【図２】本考案の実施形態の側面図である。
【図３】本考案の実施形態の縦断面図である。
【図４】本考案の実施形態における接点回路の構成例を示す図である。
【図５】本考案のスポーク取付状態を示す図である。
【図６】本考案の本体組み立て図である。
【図７】本考案のスポーク取り付け手順である。
【図８】本考案の回路図である。
【符号の説明】
１    ケース部
１ａ  留め具（Ｒ）
２    太陽電池
３    オネジ筒
３ａ  留め具（Ｌ）
４    裏蓋
５    電池
６    基板
７    接点回路
８    発光ダイオード
９    揺動接点
１０  リング状接点
２０  スポーク
２１  開口部
２２  溝
２３  固定ねじ
【図１】
0003128709.tif 000003
【図２】
0003128709.tif 000004
【図３】
0003128709.tif 000005
【図４】
0003128709.tif 000006
【図５】
0003128709.tif 000007
【図６】
0003128709.tif 000008
【図７】
0003128709.tif 000009
【図８】
0003128709.tif 000010
【手続補正書】
【提出日】平成18年10月11日(2006.10.11)
【手続補正１】
【補正対象書類名】実用新案登録請求の範囲
【補正対象項目名】全文
【補正方法】変更
【補正の内容】
【実用新案登録請求の範囲】
【請求項１】
内面を乱反射面にしたケース内に、発光手段と、太陽電池と、前記発光手段に対して、前記太陽電池を通電状態に維持する接点回路を内蔵して成る自発光式リフレクター
【請求項２】
前記ケースを、それぞれ対応する留め具部を設けたケース部から構成し、前記留め具部間においてスポークを挟持させることによってスポークに固定可能にした請求項１に記載の自発光式リフレクター。
【請求項３】
前記接点回路が、リング状接点と、前記リング状接点内に遊挿される揺動接点と、前記揺動接点が前記リング状接点に触れた際に所定時間通電状態を保持する回路とから成る請求項１に記載の自発光式リフレクター。
【請求項４】
前記ケースが立方体状で、前記発光手段と太陽電池と接点回路を前記ケース内に配置し、前記ケースの両端部をスポークに固定可能にした請求項１に記載の自発光リフレクター